(57)【要約】【課題】複数のディスプレイパネルを連結して構成されたマルチディスプレイ装置を提供する。【解決手段】第１ディスプレイ素子１４０を含む第１ディスプレイパネル１１０と、第２ディスプレイ素子２４０を含み、第１ディスプレイパネルと少なくとも一部重畳されるように位置した第２ディスプレイパネル２１０と、を備え、第１ディスプレイパネルと第２ディスプレイパネルとが重畳される領域で、第１ディスプレイパネルの画素１４２と第２ディスプレイパネルの画素２４２とも相互重畳されるマルチディスプレイ装置。【選択図】図２
2010113359.tif 000002
【特許請求の範囲】
【請求項１】
第１ディスプレイ素子を含む第１ディスプレイパネルと、
第２ディスプレイ素子を含み、前記第１ディスプレイパネルと少なくとも一部重畳されるように位置した第２ディスプレイパネルと、を備え、
前記第１ディスプレイパネルと第２ディスプレイパネルとが重畳される領域で、前記第１ディスプレイパネルの画素と前記第２ディスプレイパネルの画素とも相互重畳されるマルチディスプレイ装置。
【請求項２】
前記第１ディスプレイパネルの画素と前記第２ディスプレイパネルの画素とが重畳された部分の長さは、前記第１及び第２ディスプレイ素子間の間隔と、前記第１及び第２ディスプレイパネルの法線に基づいた視野角とによって決定されることを特徴とする請求項１に記載のマルチディスプレイ装置。
【請求項３】
前記第１ディスプレイパネルの画素と前記第２ディスプレイパネルの画素とが重畳された部分の長さは、下記式（１）によって決定されることを特徴とする請求項１または２に記載のマルチディスプレイ装置：
ｌ＝ｄ×ｔａｎ（θ）  ・・・（１）
ここで、ｌは、前記第１ディスプレイパネルの画素と前記第２ディスプレイパネルの画素とが重畳された部分の長さを表し、ｄは、第１ディスプレイ素子と第２ディスプレイ素子との間隔を表し、θは、第１及び第２ディスプレイパネルの法線に基づいた視野角を表す。
【請求項４】
前記第１ディスプレイパネルの画素と重畳される前記第２ディスプレイパネルの画素のサイズは、重畳されていない他の画素のサイズより小さいか、または同じであることを特徴とする請求項１〜３のいずれか１項に記載のマルチディスプレイ装置。
【請求項５】
前記第１ディスプレイパネルの画素と重畳される前記第２ディスプレイパネルの画素の輝度は、重畳されていない他の画素の輝度より低いか、または同じであることを特徴とする請求項１〜３のいずれか１項に記載のマルチディスプレイ装置。
【請求項６】
前記第１ディスプレイパネルの画素と重畳される前記第２ディスプレイパネルの画素は、そのサイズが重畳されていない他の画素のサイズより小さく、その輝度は、重畳されていない他の画素の輝度より高いことを特徴とする請求項１〜３のいずれか１項に記載のマルチディスプレイ装置。
【請求項７】
相互重畳される前記第１ディスプレイパネルの画素と前記第２ディスプレイパネルの画素とには、同じ画像信号が伝えられることを特徴とする請求項１〜６のいずれか１項に記載のマルチディスプレイ装置。
【請求項８】
前記第１ディスプレイパネルの画素と前記第２ディスプレイパネルの画素とが重畳された部分の長さは、画素長さの０．１ないし３倍であることを特徴とする請求項１〜７のいずれか１項に記載のマルチディスプレイ装置。
【請求項９】
前記第１ディスプレイパネルは、前記第１ディスプレイ素子が設置される第１基板と、前記第１ディスプレイ素子を覆って保護する第１カバーと、をさらに備え、
前記第２ディスプレイパネルは、前記第２ディスプレイ素子が設置される第２基板と、前記第２ディスプレイ素子を覆って保護する第２カバーと、をさらに備えることを特徴とする請求項１〜８のいずれか１項に記載のマルチディスプレイ装置。
【請求項１０】
前記第１ディスプレイパネルと第２ディスプレイパネルとは、前記マルチディスプレイ装置を折畳可能に相互連結されることを特徴とする請求項１〜９のいずれか１項に記載のマルチディスプレイ装置。
【請求項１１】
前記第１及び第２ディスプレイ素子は、ＬＣＤ（Ｌｉｑｕｉｄ  Ｃｒｙｓｔａｌ  Ｄｉｓｐｌａｙ）、ＦＥＤ（Ｆｉｅｌｄ  Ｅｍｉｓｓｉｏｎ  Ｄｉｓｐｌａｙ）、ＰＤＰ（Ｐｌａｓｍａ  Ｄｉｓｐｌａｙ  Ｐａｎｅｌ）及びＯＬＥＤ（Ｏｒｇａｎｉｃ  Ｌｉｇｈｔ  Ｅｍｉｔｔｉｎｇ  Ｄｉｏｄｅ）のうちいずれか一つであることを特徴とする請求項１〜１０のいずれか１項に記載のマルチディスプレイ装置。
【発明の詳細な説明】
【技術分野】
【０００１】
複数のディスプレイパネルを連結して画面を具現するマルチディスプレイ装置であって、さらに詳細には、フォルディング方式のマルチディスプレイ装置に関する。
【背景技術】
【０００２】
一般的に、マルチディスプレイ装置は、いくつかのディスプレイパネルを連結して一つの大画面を具現した装置を称す。展示用大型ＴＶのように、ブラウン管を数個連結して大画面を作ることが一例である。
【０００３】
このようなマルチディスプレイ装置を作るとき、単位パネルを並べて連結して作ることが一般的な方式である。すなわち、複数の単位パネルを準備して並べて連結したマルチ画面を具現することである。ところが、このような方式で単位パネルを連結すれば、単位パネル間の継ぎ目で画像が自然に連結されず、画像がひどく途絶えた感じができる。また、パネルの垂直方向から外れた方向から見るとき、画面断絶感が生じることもある。
【発明の概要】
【発明が解決しようとする課題】
【０００４】
本発明が解決しようとする課題は、ディスプレイパネル間の継ぎ目で生じる画面断絶感を防止することによって、自然な画像を具現できるマルチディスプレイ装置を提供することである。
【課題を解決するための手段】
【０００５】
前記課題を達成するために、本発明の一側面によれば、第１ディスプレイ素子を含む第１ディスプレイパネルと、第２ディスプレイ素子を含み、前記第１ディスプレイパネルと少なくとも一部重畳されるように位置した第２ディスプレイパネルと、を備え、前記第１ディスプレイパネルと第２ディスプレイパネルとが重畳される領域で、前記第１ディスプレイパネルの画素と前記第２ディスプレイパネルの画素とも相互重畳されるマルチディスプレイ装置が開示される。
【０００６】
前記第１ディスプレイパネルの画素と前記第２ディスプレイパネルの画素とが重畳された部分の長さは、前記第１及び第２ディスプレイ素子間の間隔と、前記第１及び第２ディスプレイパネルの法線とに基づいた視野角によって決定されうる。
【０００７】
前記第１ディスプレイパネルの画素と前記第２ディスプレイパネルの画素とが重畳された部分の長さは、下記式（１）によって決定されうる。
【０００８】
ｌ＝ｄ×ｔａｎ（θ）  ・・・（１）
ここで、ｌは、前記第１ディスプレイパネルの画素と前記第２ディスプレイパネルの画素とが重畳された部分の長さを表し、ｄは、第１ディスプレイ素子と第２ディスプレイ素子との間隔を表し、θは、第１及び第２ディスプレイパネルの法線に基づいた視野角を表す。
【０００９】
前記第１ディスプレイパネルの画素と重畳される前記第２ディスプレイパネルの画素のサイズは、重畳されていない他の画素のサイズより小さいか、または同じでありうる。また、前記第１ディスプレイパネルの画素と重畳される前記第２ディスプレイパネルの画素の輝度は、重畳されていない他の画素の輝度より低いか、または同じでありうる。また、前記第１ディスプレイパネルの画素と重畳される前記第２ディスプレイパネルの画素は、そのサイズが重畳されていない他の画素のサイズより小さく、その輝度は、重畳されていない他の画素の輝度より高い。
【００１０】
相互重畳される前記第１ディスプレイパネルの画素と前記第２ディスプレイパネルの画素とには、同じ画像信号が伝えられうる。
【００１１】
前記第１ディスプレイパネルの画素と前記第２ディスプレイパネルの画素とが重畳された部分の長さは、重畳されていない他の画素の長さの０．１ないし３倍となりうる。
【００１２】
前記第１ディスプレイパネルは、前記第１ディスプレイ素子が設置される第１基板と、前記第１ディスプレイ素子を覆って保護する第１カバーと、をさらに備え、前記第２ディスプレイパネルは、前記第２ディスプレイ素子が設置される第２基板と、前記第２ディスプレイ素子を覆って保護する第２カバーと、をさらに備えうる。
【００１３】
前記第１ディスプレイパネルと第２ディスプレイパネルとは、前記マルチディスプレイ装置を折畳んで開けるように相互連結されうる。前記第１及び第２ディスプレイ素子は、ＬＣＤ（Ｌｉｑｕｉｄ  Ｃｒｙｓｔａｌ  Ｄｉｓｐｌａｙ）、ＦＥＤ（Ｆｉｅｌｄ  Ｅｍｉｓｓｉｏｎ  Ｄｉｓｐｌａｙ）、ＰＤＰ（Ｐｌａｓｍａ  Ｄｉｓｐｌａｙ  Ｐａｎｅｌ）及びＯＬＥＤ（Ｏｒｇａｎｉｃ  Ｌｉｇｈｔ  Ｅｍｉｔｔｉｎｇ  Ｄｉｏｄｅ）のうちいずれか一つとなりうる。
【発明の効果】
【００１４】
本発明の実施形態によるマルチディスプレイ装置によれば、ディスプレイパネル間の継ぎ目で生じうる画面の断絶感をなくすか、または減らすことによって、ディスプレイパネルの画像が自然に連結される高品質画像を具現しうる。
【図面の簡単な説明】
【００１５】
【図１】本発明の一実施形態によるフォルディング方式のマルチディスプレイ装置のアンフォルド状態を示す斜視図である。
【図２】図１のＡ−Ａ’線による断面図である。
【図３Ａ】積層された２つのディスプレイパネルの重畳された部分を図３Ｃに示された−方向から見た時の画素重畳状態を示す図面である。
【図３Ｂ】積層された２つのディスプレイパネルの重畳された部分を図３Ｃに示された＋方向から見た時の画素重畳状態を示す図面である。
【図３Ｃ】積層された２つのディスプレイパネルの視野角方向を示す図面である。
【図４】視野角及び２つのディスプレイ素子間の間隔による画素の重畳関係を示す図面である。
【図５Ａ】２つのディスプレイパネルが重畳された領域で第２ディスプレイパネルの画素サイズの調節を通じた画素重畳方式を示す図面である。
【図５Ｂ】２つのディスプレイパネルが重畳された領域で第２ディスプレイパネルの画素輝度調節を通じた画素重畳方式を示す図面である。
【図６Ａ】２つのディスプレイパネルが重畳される以前状態での画素配列を示す図面である。
【図６Ｂ】２つのディスプレイパネルが重畳された状態での画素配列を示す図面である。
【発明を実施するための形態】
【００１６】
以下、添付された図面を参照して、本発明の実施形態を詳細に説明する。図面で、同じ参照符号は同じ構成要素を表し、各構成要素のサイズや厚さは、説明の明瞭性のために誇張されている。本明細書に記載された内容と図面に示された構成とは、本発明の一実施形態に過ぎず、本発明の技術的思想をいずれも代弁するものではないので、本出願時点において、これらを代替できる多様な均等物及び変形例がありうるということを理解せねばならない。
【００１７】
図１は、本発明の一実施形態によるフォルディング方式のマルチディスプレイ装置のアンフォルド状態を示した斜視図である。そして、図２は、図１のＡ−Ａ’線による断面図である。本実施形態によるマルチディスプレイ装置は、数個のディスプレイパネルを多様な方法で連結して作ることができるが、ここでは、説明の便宜のために２つのディスプレイパネルが連結されて製作される場合を例として説明する。
【００１８】
図１及び図２を参照すれば、本実施形態によるマルチディスプレイ装置１００は、第１ディスプレイパネル１１０と、この第１ディスプレイパネル１１０と少なくとも一部重畳されるように位置する第２ディスプレイパネル２１０と、を備える。図１及び図２で、前記第１及び第２ディスプレイパネル１１０，２１０は、それぞれ上部パネル及び下部パネルに対応する。そして、前記第１ディスプレイパネル１１０と第２ディスプレイパネル２１０とが相互重畳される領域で、前記第１ディスプレイパネル１１０の画素１４２と前記第２ディスプレイパネル２１０の画素２４２とも相互重畳されるように配される。前記第１及び第２ディスプレイパネル１１０，２１０内には、それぞれ多数の画素１４２，２４２を含んで画像を具現する第１及び第２ディスプレイ素子１４０，２４０が内蔵されている。一方、前記第１ディスプレイパネル１１０は、前記第１ディスプレイ素子１４０が設置される第１基板１２０と、前記第１ディスプレイ素子１４０を覆って保護する第１カバー１３０とをさらに備えうる。そして、前記第２ディスプレイパネル２１０は、前記第２ディスプレイ素子２４０が設置される第２基板２２０と、前記第２ディスプレイ素子２４０を覆って保護する第２カバー２３０とをさらに備えうる。
【００１９】
トップエミッションタイプのマルチディスプレイ装置では、第１及び第２ディスプレイ素子１４０，２４０が作り出した画像が第１及び第２カバー１３０，２３０を通じてディスプレイされ、ボトムエミッションタイプのマルチディスプレイ装置では、第１及び第２ディスプレイ素子１４０，２４０が作り出した画像が第１及び第２基板１２０，２２０を通じてディスプレイされる。図１及び図２では、ボトムエミッションタイプのマルチディスプレイ装置が例示的に示されている。一方、前記第１及び第２ディスプレイパネル１１０，２１０に内蔵された第１及び第２ディスプレイ素子１４０，２４０は、ＬＣＤ（Ｌｉｑｕｉｄ  Ｃｒｙｓｔａｌ  Ｄｉｓｐｌａｙ）、ＦＥＤ（Ｆｉｅｌｄ  Ｅｍｉｓｓｉｏｎ  Ｄｉｓｐｌａｙ）、ＰＤＰ（Ｐｌａｓｍａ  Ｄｉｓｐｌａｙ  Ｐａｎｅｌ）及びＯＬＥＤ（Ｏｒｇａｎｉｃ  Ｌｉｇｈｔ  Ｅｍｉｔｔｉｎｇ  Ｄｉｏｄｅ）のような多様な平板ディスプレイ用素子となりうる。
【００２０】
本実施形態では、前記２つの第１及び第２ディスプレイパネル１１０，２１０が図１に示されたように、ヒンジ軸（Ｈ）を中心に折畳可能なフォルディング方式で連結されて一つの画面を具現しうる。ここで、例えば、２つの第１及び第２ディスプレイパネル１１０，２１０を開けたとき、図２に示されたように、前記第１及び第２ディスプレイパネル１１０，２１０が上下に段差を付けて配されうる。
【００２１】
このように、２つの第１及び第２ディスプレイパネル１１０，２１０を上下に段差して配し、前記第１ディスプレイパネル１１０と前記第２ディスプレイパネル２１０とが重畳された領域で、第１ディスプレイパネル１１０の画素１４２と第２ディスプレイパネル２１０の画素２４２とを重畳させることによって、前記第１及び第２ディスプレイパネル１１０，２１０の法線方向から外れた視野角で第１及び第２ディスプレイパネル１１０，２１０間の境界部分で生じる画面断絶感を防止しうる。一方、第１及び第２ディスプレイパネル１１０，２１０が上下に段差して配されることによって、２つのディスプレイパネル１１０，２１０間の境界部で上下方向に段差感が感じられるが、このような段差感は、マルチディスプレイ装置の上面を平坦にすることによって除去されうる。このために、第２ディスプレイパネル２１０上に第１ディスプレイ１１０パネルと同じ高さを有する透明プレート２５０が作られる。
【００２２】
図３Ａは、積層された２つのディスプレイパネル１１０，２１０の重畳された部分を図３Ｃに示された−方向から見た時の画素重畳状態を示す図面である。図３Ｂは、積層された２つのディスプレイパネル１１０，２１０の重畳された部分を図３Ｃに示された＋方向から見た時の画素重畳状態を示す図面である。図３Ｃは、積層された２つのディスプレイパネル１１０，２１０の視野角方向を示した図面である。
【００２３】
図３Ａを参照すれば、積層された２つのディスプレイパネル１１０，２１０の重畳された部分を図３Ｃに示されたマイナス（−）方向から見た時、２つのディスプレイパネル１１０，２１０が重畳された領域で第１ディスプレイパネル１１０の画素１４２と第２ディスプレイパネル２１０の画素２４２とが重畳される部分が存在するということが分かり、これにより、前記第１ディスプレイパネル１１０と第２ディスプレイパネル２１０との境界部で輝度が低下しない。図３Ａで、Ｌは、第１ディスプレイパネル１１０の画素１４２と第２ディスプレイパネル２１０の画素２４２とが重畳された部分の長さを表す。
【００２４】
図３Ｂを参照すれば、積層された２つのディスプレイパネル１１０，２１０の重畳された部分を図３Ｃに示されたプラス（＋）方向から見た時にも、２つのディスプレイパネル１１０，２１０が重畳された領域で第１ディスプレイパネル１１０の画素１４２と第２ディスプレイパネル２１０の画素２４２とが重畳される部分が存在するということが分かる。したがって、前記第１ディスプレイパネル１１０と第２ディスプレイパネル２１０との境界部で輝度が低下しない。図３Ｂで、Ｌ’は、第１ディスプレイパネル１１０の画素１４２と第２ディスプレイパネル２１０の画素２４２とが重畳された部分の長さを表す。
【００２５】
例えば、前記第１ディスプレイパネル１１０の画素１４２と前記第２ディスプレイパネル２１０の画素２４２とが重畳される部分の長さは、画素長さの約０．１ないし３倍ほどとなりうる。しかし、これに限定されるものではない。
【００２６】
さらに具体的には、図４を参照すれば、前記第１ディスプレイパネル１１０の画素１４２と前記第２ディスプレイパネル２１０の画素２４２とが重畳される部分の長さは、第１ディスプレイ素子１４０と第２ディスプレイ素子２４０との間隔ｄと、第１及び第２ディスプレイパネル１１０，２１０の法線に基づいた視野角θとによって決定されうる。すなわち、前記第１ディスプレイパネル１１０の画素１４２と前記第２ディスプレイパネル２１０の画素２４２とが重畳される部分の長さは、下記の式（１）によって決定されうる。
【００２７】
ｌ＝ｄ×ｔａｎ（θ）  ・・・（１）
ここで、ｌは、前記第１ディスプレイパネル１１０の画素１４２と前記第２ディスプレイパネル２１０の画素２４２とが重畳された部分の長さを表し、ｄは、第１ディスプレイ素子１４０と第２ディスプレイ素子２４０との間隔を表し、θは、第１及び第２ディスプレイパネル１１０，２１０の法線に基づいた視野角を表す。
【００２８】
下記の表１は、視野角θと第１及び第２ディスプレイ素子１４０，２４０との間隔ｄによる画素重畳部分の長さｌを例示的に表している。ここで、θ、ｄ及びｌの単位は、それぞれｄｅｇｒｅｅ、ｍｍ及びμｍである。
【００２９】
【表１】
2010113359.tif 000003
【００３０】
表１を参照すれば、例えば、第１及び第２ディスプレイ素子１４０，２４０間の間隔ｄが０．２ｍｍであり、視野角θが３０°である場合、第１ディスプレイパネル１１０の画素１４２と第２ディスプレイパネル２１０の画素２４２とが重畳された部分が１１５μｍ以上となって始めて、前記第１及び第２ディスプレイパネル１１０，２１０間に画面断絶感が生じないようになる。
【００３１】
図５Ａ及び図５Ｂは、本実施形態によるマルチディスプレイ装置で、画面断絶感を除去できる第１及び第２ディスプレイの画素重畳方法を例示的に説明するための図面である。
【００３２】
図５Ａは、２つのディスプレイパネル１１０，２１０が重畳された領域で第２ディスプレイパネル２１０，２１０’，２１０”の画素サイズ調節を通じた画素重畳方式を示す。図５Ａを参照すれば、画面断絶感を除去するために、第１ディスプレイパネル１１０の画素１４２と重畳される第２ディスプレイパネル２１０，２１０’，２１０”の画素２４２，２４２’，２４２”のサイズが調節しうる。前記第１ディスプレイパネル１１０の画素１４２と重畳される第２ディスプレイパネル２１０，２１０’，２１０”の画素２４２，２４２’，２４２”は、重畳されていない他の画素と同じサイズを有するか、または重畳されていない他の画素より小さいサイズを有するように調節されうる。図５Ａは、第１ディスプレイパネル１１０と重畳されうる第２ディスプレイパネル２１０，２１０’，２１０”を示したものであって、前記第１ディスプレイパネル１１０の画素１４２と重畳される第２ディスプレイパネル２１０，２１０’，２１０”の画素２４２，２４２’，２４２”が重畳されていない他の画素と同じサイズを有する場合（２４２）、重畳されていない他の画素の８０％ほどのサイズを有する場合（２４２’）、重畳されていない他の画素の２０％ほどのサイズを有する場合（２４２”）が例示的に示されている。
【００３３】
図５Ｂは、２つのディスプレイパネル１１０，２１０が重畳された領域で第２ディスプレイパネル２１０の画素輝度調節を通じた画素重畳方式を示す。図５Ｂを参照すれば、画面断絶感を除去するために、第１ディスプレイパネル１１０の画素１４２と重畳される第２ディスプレイパネル２１０，２１０’，２１０”の画素２４２，２４２’，２４２”の輝度が調節されうる。この場合、前記第１ディスプレイパネル１１０の画素１４２と重畳される第２ディスプレイパネル２１０，２１０’，２１０”の画素２４２，２４２’，２４２”は、重畳されていない他の画素と同じサイズを有しうる。前記第１ディスプレイパネル１１０の画素１４２と重畳される第２ディスプレイパネル２１０，２１０’，２１０”の画素２４２，２４２’，２４２”は、重畳されていない他の画素と同じ輝度を有するか、または重畳されていない他の画素より低い輝度を有するように調節されうる。図５Ｂは、第１ディスプレイパネル１１０と重畳されうる第２ディスプレイパネル２１０，２１０’，２１０”を図示したものであって、前記第１ディスプレイパネル１１０の画素１４２と重畳される第２ディスプレイパネル２１０，２１０’，２１０”の画素２４２，２４２’，２４２”が重畳されていない他の画素と同じ輝度を有する場合（２４２）、重畳されていない他の画素の８０％ほどの輝度を有する場合（２４２’）、重畳されていない他の画素の２０％ほどの輝度を有する場合（２４２”）が例示的に示されている。
【００３４】
以上のように、第１ディスプレイパネル１１０の画素１４２と重畳される第２ディスプレイパネル２１０，２１０’，２１０”の画素２４２，２４２’、２４２”のサイズ及び輝度を調節する理由は、画素重畳の長さが必要以上に大きいか、または重畳された画素の輝度が重畳されていない他の画素より高い場合、２つのディスプレイパネル１１０，２１０の境界部で輝度の高い画素が存在することによって、画面断絶感が大きく感じられるためである。
【００３５】
一方、前記画素重畳方法以外にも、画面断絶感を除去するために、前記第１ディスプレイパネル１１０の画素１４２と重畳される前記第２ディスプレイパネル２１０の画素２４２は、そのサイズが重畳されていない他の画素のサイズより小さく調節され、その輝度は、重畳されていない他の画素の輝度より高く調節されることもある。
【００３６】
図６Ａは、２つのディスプレイパネル１１０，２１０が重畳される以前状態での画素配列及びマルチディスプレイ装置の駆動時に画素が信号を受ける順序を示したものである。そして、図６Ｂは、２つのディスプレイパネル１１０，２１０が重畳された状態での画素配列及びマルチディスプレイ装置の駆動時に画素が信号を受ける順序を示したものである。２つのディスプレイパネル１１０，２１０が上下に重畳された状態で、第１ディスプレイパネル１１０の第ｎ列に位置した画素１４２と第２ディスプレイパネル２１０の第ｎ列に位置した画素２４２とは、同じ駆動信号が入力される。この場合、下部パネルの第２ディスプレイパネル２１０の第ｎ列に位置した画素２４２のサイズは、重畳されていない他の画素と必ずしも同じである必要はなく、重畳されていない他の画素より横方向にその長さが短い場合もある。
【００３７】
以上、本発明の実施形態が説明されたが、これは、例示的なものに過ぎず、当業者ならば、これから多様な変形及び均等な他の実施形態が可能であるということが分かるであろう。
【産業上の利用可能性】
【００３８】
本発明は、ディスプレイ関連の技術分野に好適に適用可能である。
【符号の説明】
【００３９】
１１０        第１ディスプレイパネル
１２０        第１基板
１３０        第１カバー
１４０        第１ディスプレイ素子
１４２，２４２        画素
２１０        第２ディスプレイパネル
２２０        第２基板
２３０        第２カバー
２４０        第２ディスプレイ素子
２５０        透明プレート
【図１】
2010113359.tif 000004
【図２】
2010113359.tif 000005
【図３Ａ】
2010113359.tif 000006
【図３Ｂ】
2010113359.tif 000007
【図３Ｃ】
2010113359.tif 000008
【図４】
2010113359.tif 000009
【図５Ａ】
2010113359.tif 000010
【図５Ｂ】
2010113359.tif 000011
【図６Ａ】
2010113359.tif 000012
【図６Ｂ】
2010113359.tif 000013